Podtech/llm-jp-corpus-v4-ja_patent huggingface dataset:
(57)【要約】【課題】浴槽の残り湯を洗濯機やトイレに利用するシステムは種々考案されているが、洗濯機が浴室の隣室に設置されるものとは限らず、主婦の作業動線、特に物干しを考慮し勝手口付近に洗濯機を置く例が多くなるなど課題があり、また、水洗トイレにも合わせて利用出来る複合的なシステムは存在しなかった。そこで僅かの設備投資により建物内のいたるところで浴槽の残り湯を活用できるシンプルで効率の良い中水道供給システムを提供するものである。【解決手段】浴槽と加温ボイラー（給湯器）との間にあって、循環ポンプを介し循環加温用に床下に廻らせた一対のホースの片方を必要個所に於いて分岐し、床上に設置した給水金具に接続したシステムを提供する。【選択図】図１
2013147913.tif 000002
【特許請求の範囲】
【請求項１】
浴槽と加温ボイラー（給湯器）との間にあって、循環ポンプを介し循環加温用に床下に廻らせた一対のホースの片方を必要個所に於いて分岐し、床上に設置した給水金具に接続したシステム。
【発明の詳細な説明】
【発明の詳細な説明】
【技術分野】
【０００１】この発明は、浴槽内の残り湯を屋内随所で利用できるよう考案した、いわゆる中水道のシステムに関する。
【背景技術】
【０００２】例えば特許文献１には、浴槽内の残り湯を浴室の隣室に設置された洗濯機に供給するシステムが開示されている。【０００３】特許文献２では、浴槽内の残り湯を水洗トイレの洗浄水として利用し、節水するシステムが考案されている。
【先行技術文献】
【０００４】
【特許文献１】特開２０１１−１５３４４２号公報
【０００５】
【特許文献２】特許２０１１−２２００８４号公報
【発明の概要】
【発明が解決しようとする課題】
【０００６】特許文献１における浴槽の残り湯利用システムは、給水路が浴室と隣室の間の壁に設けられたカウンターの内部に導入され見栄え良く構築したものであるが、そもそも洗濯機が浴室の隣室に設置されるものとは限らず、むしろ近年に於いては主婦の作業動線や物干し場を考慮し勝手口付近に洗濯機を置く例が多くなるなど、隣室ではなく遠室にも対応できるシステムが必要になっている。【０００７】また特許文献２によれば、浴槽内の残り湯を水洗トイレに供給するため、新たにフィルターやポンプを設備しなければならない課題があった。【０００８】本発明においては、これら複数の課題を一挙に解決し建物全体随所で、しかも設備を最小限に抑えることが出来る、シンプルで効率の良いエコ水供給システムを提供するものである。
【課題を解決するための手段】
【０００９】本発明は、浴槽と加温ボイラー（給湯器）との間にあって、循環ポンプを介し循環加温用に床下に廻らせた一対のホースの片方を必要個所に於いて分岐し、床上に設置した給水金具に接続することにより屋内随所において浴槽内の残り湯を供給可能とした中水道システムを提供する。
【発明の効果】
【００１０】本発明の方法によれば、洗濯機が浴室の隣室に置かなければならない必然性がなくなり、勝手口付近や乾燥室付近など任意の場所に設置が可能となる利便性を期待できるとともに、新たにフィルターやポンプを設備しなければならない課題からも解放され、僅かの設備投資により屋内のいたるところで洗濯機や水洗トイレなどに浴槽の残り湯を中水道として提供できるという画期的なシステムを提供できる。
【図面の簡単な説明】
【００１１】
【図１】本発明の実施形態を示す断面図
【発明を実施するための形態】
【００１２】以下、本発明の実施の形態を図１に基づいて説明する。
建物１の床２の上には、いわゆる中水道（浴槽の残り湯など再利用可能な水）の利用が期待できる器具装置、水洗トイレ３、スロップシンク（汚物洗槽・多目的流し）４、洗濯機５が設置してある。また、屋内に設置してある浴槽６とボイラー７は湯の循環用に設置した架橋ポリエチレンパイプなどにより二系統接続されており、ボイラー７の内部には循環用のポンプ８を介してある。
【００１３】実施例では図１に表した一対の配管は、ボイラー７からみて出水流路管９と、下部の管は同じくボイラー７から見た帰還流路管１０であり、人体で例えるなら心臓に対しての動脈と静脈といえる。この実施例の場合、出水流路管９の必要個所をそれぞれ分岐し小枝管１１と床２の表面に固定した給水金具１２を経由しそれぞれ水洗トイレ３、スロップシンク（汚物洗槽）４、洗濯機５に接続してある。
【００１４】これにより、ボイラー７から循環用のポンプ８を介して送り出される一定圧力の残り湯は出水流路管９のしかるべき箇所で小枝管１１に分流され止水機能を備えた給水金具１２を経由し、例えば洗濯機５に運ばれ中水道供給の目的を達する。
このシステムを構築するには新たにフィルターやポンプなど特別な装置を必要とせず、ボイラーに元々装備されているフィルターと循環ポンプ８の送水圧力を利用し、床下に巡らせた循環用のパイプを利用することにより設備投資を最小に抑えながら、建物内の随所において中水道の提供を可能としたものであり、時代の要請にマッチしたエコな中水道供給システムである。
また、例えば水洗トイレを２階に設置する場合には中間に加圧ポンプを設置したり、洗濯機をポンプ付きの洗濯機に変更することも可能である。
【符号の説明】
【００１５】  １  建物
２  床
３  水洗トイレ
４  スロップシンク（汚物洗槽・多目的流し）
５  洗濯機
６  浴槽
７  ボイラー（給湯器）
８  循環ポンプ
９  出水流路管
１０  帰還流路管
１１  小枝管
１２  給水金具（止水機能付）
【図１】
2013147913.tif 000003
(57)【要約】      （修正有）【課題】缶ビール及び缶ジュースなどの缶を開けるために、指の腹部分で引き起こせるようにしたプルタブを提供する。【解決手段】プルタブ本体１をＬ字型のようにして、缶の上蓋とプルタブの先端部の間に隙間を設けた、開缶しやすくしたことを特徴とする。プルタブ本体１を、Ｌ字型のような形にする構造により、缶ビール又は缶ジュースなどのフタを開缶する際に、プルタブ先端部と缶の上蓋との間の隙間に指の腹部分をかけてプルタブを引き起こし易くする空間を設ける。【選択図】図２
2013147290.tif 000002
【特許請求の範囲】
【請求項１】
プルタブ本体（１）を、Ｌ字型のようにして、缶の上蓋とプルタブ先端部の間に隙間を設けた、開缶しやすいプルタブである。
【発明の詳細な説明】
【技術分野】
【０００１】  本発明は、缶ビール及び缶ジュースなどの缶を開けるために、指の腹部分で引き起こせるようにしたプルタブに関するものである。
【背景技術】
【０００２】  従来は、缶ビール及び缶ジュースなどの缶を開けるためのプルタブは、指先の入る隙間がないので、爪もしくは指の先端にて開けていたものである。【０００３】  なお、本願発明に関連する公知技術として、次の特許文献１を挙げることができる。
【特許文献１】  特開２００３−２２１０３３号公報
【発明の開示】
【発明が解決しようとする課題】
【０００４】  上述の如く、従来のプルタブには、次のような欠点があった。
（イ）プルタブを引っ張って開缶する場合には、爪もしくは指の先端部分しかかからないので、大変な力が必要となり、非力な人（幼児）などは指先が痛くなるため、開けることができないことがある。
（ロ）爪の長い人の場合には、爪が割れてしまったりして開缶できないことがある。
（ハ）付け爪の人の場合には、付け爪が破損するため、開缶できない。
（ニ）手袋を装着している人の場合には、手袋をぬがなければ開缶することができない。  本発明は、これらの欠点を除くためになされたものである。
【課題を解決するための手段】
【０００５】  プルタブ本体（１）を、Ｌ字型のようにする。本発明は、プルタブ本体（１）をＬ字型のようにして、缶の上蓋とプルタブ先端部の間に隙間を設けた、開缶しやすいプルタブである。
【発明の効果】
【０００６】  このように、簡単に缶を開けることができ、プルタブを起こす際の爪の損傷を防ぐことはもちろん、非力な人（幼児）でも、指先の痛みを感ずることなくプルタブを起こすことができる。また、付け爪の人・手袋を装着している人でも、簡単にプルタブを引き起こすことができる、開缶しやすいプルタブである。
【発明を実施するための最良の形態】
【０００７】  以下、本発明の実施の形態について説明する。【０００８】  プルタブ本体（１）を、Ｌ字型のような形にする。  本発明は、以上のような構造で、缶ビール又は缶ジュースなどのフタを開缶する際に、プルタブ先端部と缶の上蓋との間の隙間に指の腹部分をかけてプルタブを引き起こし、開缶するものである。
【図面の簡単な説明】
【０００９】
【図１】  本発明の側面図である。
【図２】  本発明の斜視図である。
【符号の説明】
【００１０】  １    プルタブ本体
２    缶本体
【図１】
2013147290.tif 000003
【図２】
2013147290.tif 000004
(57)【要約】      （修正有）【課題】一般的な自転車前カゴでは、手さげ鞄を収納するにはたて置き収納しかできず中味が混ざり合ったり、袖収納から物が飛び出していた。手さげ鞄を横向きの状態で収納できる自転車の前カゴを提供する。【解決手段】カゴを、本体１と左右の袖フレーム２，３の３つの構造体、それと支持材４の構造にして、通常は従来の前カゴと同じ状態を成しているが、ビジネス鞄を収納する時に左右の袖フレームを結ぶ支持材を下に押すことにより、左右の袖フレームが外側にスライドして鞄の収納スペースを確保して手さげ鞄を収納する。袖フレームは本体と引きバネ７で結ばれているので、収納した時には鞄を挟み込み、鞄を取り出した時には、左右の袖フレームが初期の位置まで戻るようになる。【選択図】図３
2013147238.tif 000002
【特許請求の範囲】
【請求項１】
本体（１）に左袖フレーム（２）と右袖フレーム（３）を組み合わせ、両袖フレームを伝導材（５）で繋げた支持材（４）を押し下げる事により左右袖フレームが外側に開き手さげ鞄の収納スペースを確保して鞄を収納でき、鞄を取り出した時には引きバネの力で左右袖フレームが、元の位置に戻る自転車前カゴである。
【発明の詳細な説明】
【技術分野】
【０００１】  本発明は、カゴ通常サイズのままで手さげ鞄を収納できる自転車の前カゴに関する。
【背景技術】
【０００２】  従来の自転車前カゴは一般的に小型のバックや買い物袋等を収納するには適していたが、手さげ鞄を収納するには小さすぎて、手さげ鞄を収納するにはたてて収納するしかなかった。
手さげ鞄等の大きな物を収納する大きな自転車前カゴは別に販売されてはいる。
【発明の概要】
【発明が解決しようとする課題】
【０００３】  従来、横向き使いの手さげ鞄を立てて収納すると鞄の中身が混ざりあったり、袖の収納部分や内ポケットからはみ出してしまったりする事がある。
その為、斜めに収納したり、又は鞄を前カゴの上に平置きしたりしている。
肩に掛けている人も多いが、急に肩からずれ落ちてハンドルバランスを崩したり、中には自転車のハンドルに掛けて運転するという危険な状態の人も見受けられる。【０００４】大きな前カゴに取り替えた場合、駐輪場や駐輪機に入れた時に、カゴの部分が隣と干渉して出し入れが困難になる事がある。又、買い物袋を収納すると袋が倒れてしまい袋から商品がこぼれ出す事もある。
本発明は、これらの問題を解決する為のものである。
【課題を解決するための手段】
【０００５】  従来、一体型である前カゴを、本体と左右の袖フレームの３つの構造体、それと支持材の構造にして、通常は従来の前カゴと同じ状態を成しているが、手さげ鞄を収納する時に左右の袖フレームを結ぶ支持材を下に押すことにより、左右の袖フレームが外側にスライドして収納スペースを確保して手さげ鞄を収納する。
袖フレームは本体と引きバネで結ばれているので、収納した時には鞄を挟み込み、鞄を取り出した時には、左右の袖フレームが初期の位置まで戻るようになる。
【発明の効果】
【０００６】手さげ鞄を横向きに置き、手に持った状態で収納する為、手さげ鞄の中身が混ざり合う事がなくなる。袖収納部や内ポケットから、中身がはみ出す事がなくなる。【０００７】肩掛けの鞄がずれ落ちてハンドル操作に障害をきたしたり、直接ハンドルに手さげ鞄を掛けて運転する事がなく危険運転をなくす事ができる。
【図面の簡単な説明】
【０００８】
【図１】本発明の分解した斜視図である。
【図２】本発明の全体斜視図である。
【図３】本発明の稼動状態の斜視面である。
【図４】本発明の引きバネを取り付けた斜視図である。
【発明を実施するための形態】
【０００９】  本発明の実施形態について図面を参照して説明する。
本体（１）と左袖フレーム（２）右袖フレーム（３）の３つの構造体、それと支持材（４）を組み合せた構造にして、通常は従来の前カゴと同じ状態を成している。
本体（１）に左右袖フレーム（２）（３）を取付けるには、各袖フレームについているリング（６）を通す本体（１）の線材の片側を切断して線材のしなりを利用して嵌め込む。
このままでは、従来の自転車前カゴと同じ形状で通常の使用が出来ますが手さげ鞄は縦収納しか出来ません。
手さげ鞄を収納する時には支持材（４）を指先もしくは手の平で下方向に押し下げると伝導材（５）が左右の袖フレーム（２）・（３）を外側に広げ、鞄を収納するスペースを確保して、手さげ鞄を収納出来ます。
【符号の説明】
【００１０】１  本体フレーム
２  左袖フレーム
３  右袖フレーム
４  支持材
５  伝導材
６  リング
７  引きバネ
【図１】
2013147238.tif 000003
【図２】
2013147238.tif 000004
【図３】
2013147238.tif 000005
【図４】
2013147238.tif 000006
(57)【要約】      （修正有）【課題】自動車のハンドルを利用した、駐車時、運転席で書類等への記入、食事や化粧等で作業や物を置くのに、適当な卓を提供する。【解決手段】水平卓（ハ）を骨組状にして、台板（ロ）の上部には、ハンドルに掛ける掛け具（イ）が取り付けられ、支え具（ニ）は上部と下部に自在性のある接続具（チ、リ）を有し、水平卓（ハ）は水平指示具（ヘ）に掛ける掛け具を有し水平指示具（ヘ）に掛けて押え具（ホ）で固定する。水平指示具（ヘ）と押え具（ホ）はガイドレール（ト）を利用し上下動させる。【選択図】図１
2013147239.tif 000002
【特許請求の範囲】
【請求項１】
自動車のハンドル上の上部に掛け、落下を防止し、下部で水平面が容易に作れる、水平調節部を設けた卓です。
【請求項２】
水平卓と支持具の高さの位置の制限を持たない。
【発明の詳細な説明】
【発明の概要】
【０００１】自動車の運転席には、前にハンドルがあり、駐車時運転席で書類への記入、食事や化粧等ハンドル上に卓が設けられれば非常に便利です。
【発明が解決しようとする課題】
【０００２】ハンドルは、運転操作を円滑にする為に傾きがあります。駐車時、運転席で書類等への記入にはハンドル上を利用しますが、不安定です。食事や化粧等で物を置くには前面に卓となる物が無く不便です。また車種が異なれば、傾きは様々です。
【発明が解決するための手段】
【０００３】ハンドルを利用して上部に掛け、落下防止をします。下部には水平調節部を設け、水平な面を持つ卓が出来ます。駐車時運転席で書類等への記入は容易で、食事や化粧等で前面に物を置くことが出来、非常に便利です。また様々な傾きに、対応出きます。
【発明の効果】
【０００４】本考案があることで、前面の一番手近な所での作業や物が置けます。席を移動することもなく、姿勢を変える必要も減ります。
【図面の簡単な説明】
【０００５】
【図１】図１は斜視図で、水平卓を骨組状にして、組み立て上った図です。台板の上部には、ハンドルに掛ける掛け具が取り付けられ落下を防ぎます。支え具は上部と下部に自在性のある接続具を有し、水平卓は水平指示具に掛ける掛け具を有し水平指示具に掛けて押え具で固定します。水平指示具と押え具はガイドレールを利用し上下動させ、水平調節と押え固定します。
【符号の説明】
【０００６】イ．ハンドル掛け具    ニ．支え具        ト．ガイドレール
ロ．台板              ホ．押え具        チ．自在接続具
ハ．水平卓、掛け具付  ヘ．水平調節具    リ．自在接続具
【図１】
2013147239.tif 000003
(57)【要約】【課題】花壇の管理人が室内のカレンダーに水やりをした記録を残す場合、記録の手間が生じていた。またカレンダーの月替わりで直近の前月の記録を手書きで次月に移行する必要があり、管理人が誤って破棄してしまった場合は記録がなくなる恐れがあった。  本発明は、以上を解決することを目的とする。【解決手段】円形の表示板の表面外周に日付を印字し、板の中央に軸を設け、その軸を中心に矢印板を回転させる。表示板には先端が土に容易に挿さる形の支えを設ける。  以上の構成よりなる水やり日付記録表示板。【選択図】図１
2013147009.tif 000002
【特許請求の範囲】
【請求項１】
円形の表示板の表面外周に日付を印字し、下部に支えを設け、板の中央に軸を設け、その軸に矢印板を設けた水やり日付記録表示板。
【発明の詳細な説明】
【技術分野】
【０００１】    本発明は、水やり日付記録表示板に関するものである。
【背景技術】
【０００２】    冬場の花壇において、夏場よりも草花に水やりをする回数は少ない。花壇の管理人が室内のカレンダー等に水やりをした日付を記録しておくことが考えられた。
【先行技術文献】
【特許文献】
【０００３】
【発明の概要】
【発明が解決しようとする課題】
【０００４】    花壇の管理人が室内のカレンダーに記録を残す場合、記録の手間が生じていた。またカレンダーの月替わりで直近の前月の記録を手書きで次月に移行する必要があり、管理人が誤って破棄してしまった場合は記録がなくなる恐れがあった。
本発明は、以上の問題点を解決するためになされたものである。
【課題を解決するための手段】
【０００５】    円形の表示板の表面外周に日付を印字し、板の中央に軸を設け、その軸を中心に矢印板を回転させるもので、表示板には先端が土に容易に挿さる形の支えを設ける。
以上の構成よりなる水やり日付記録表示板。
【発明の効果】
【０００６】    カレンダー等に手書きをする必要があった記録が、本発明により草花ごとに挿してある表示板により記録を一目で確認でき、水やりを行った直後に記録を更新することが可能である。
【図面の簡単な説明】
【０００７】
【図１】本発明の使用状態を示す図
【発明を実施するための形態】
【０００８】  以下、本発明の実施の形態を説明する。
円形の表示板（１）の中央に矢印板Ａ（２）と矢印板Ｂ（３）を軸（４）で留めたものを設け、表示板（１）中央下部を支え（５）にて固定する。
本発明は以上のような構造である。
本発明を使用するときは支え（５）を土に挿し、水やり後に矢印板Ａ（２）の矢印部分が当日の日付を指すまで回転させる。なお、矢印板Ｂ（３）は矢印板Ａ（２）の補足で肥料等の記録に使用することが可能である。
【符号の説明】
【０００９】    １  表示板、２  矢印板Ａ、３  矢印板Ｂ、４  軸、５  支え
【図１】
2013147009.tif 000003
(57)【要約】【課題】 螺旋管を給水側、排水側で隣接させ持ち運び用が主で蓄える貯水量が僅であり連結しても多くは望めない上に、給水・排水共に下部に有り、非常時給排水栓夫々を開け半分ずつ取り出す不便さがある。【解決手段】従来から使用されている上水道管の給水経路の途中に、取り外し可能なタンクと同様の貯水機能を持つ給水管を通水可能な状態で重ね合わせて集積した貯水装置を介在さすことで、平時は通常の給水を維持しながら上記課題を解決する貯水装置。【選択図】図１
2013147895.tif 000002
【特許請求の範囲】
【請求項１】
両端に水栓を設けた１本の給水管を通水可能な状態で、前記給水管を横に複数回折畳み、折畳んだ前記給水管を複数段積重ねて集積し、最上部に取水側汎用水栓を、最下部に吐水側汎用水栓を設けたことを特徴とする貯水装置。
【請求項２】
保管・保護・携帯用ケースに入れたことを特徴とする請求項１に記載の貯水装置。
【請求項３】
キャスターを設けたことを特徴とする請求項１又は請求項２に記載の貯水装置
【発明の詳細な説明】
【技術分野】
【０００１】
本発明は飲料水のタンクに関する。          
【背景技術】
【０００２】
従来の非常時用飲料水確保はポリタンクに飲料水を入れたり、消費期限のあるペットボトルであり、長期間新鮮に維持することは困難で、非常時に備え多大な注意と管理が必要である。これらは保管を忘れていれば非常時に備えることが出来ない。
【先行技術文献】
【特許文献】
【０００３】
【特許文献１】特開平９−１５１４９５号公報
【発明の概要】
【発明が解決しようとする課題】
【０００４】
これまでに特開平９−１５１４９５で発明されている非常用貯水タンクがあるが、この発明は螺旋管を給水側、排水側で隣接させ持ち運び用が主で蓄える貯水量が僅であり連結しても多くは望めない上に、給水・排水共に下部に有り、非常時給排水栓夫々を開け半分ずつ取り出す不便さがある。
【課題を解決するための手段】
【０００５】
本発明は、両端に水栓を設けた１本の給水管を通水可能な状態で、前記給水管を横に複数回折畳み、折畳んだ前記給水管を複数段積重ねて集積し、最上部に取水側汎用水栓を、最下部に吐水側汎用水栓を設けたことを特徴とする貯水装置である。
【発明の効果】
【０００６】
本発明は日常生活で意識して管理することなく、非常時に備えた新鮮な水を一定量確保することが出来、何時の断水発生にも命を守る新鮮な飲料水を確保することが可能になる。給水管を横に複数回折畳み、折畳んだ前記給水管を複数段積重ねて集積さすことで貯水量を圧倒的に増やし非常時に備えることが可能である。
【図面の簡単な説明】
【０００７】
【図１】本発明基本構想の概観図である。
【図２】本発明基本構想の概略図である。
【図３】本発明の保管構想図である。
【図４】本発明の実施態様を示す図である。
【図５】本発明の実施態様を示す図である。
【図６】本発明の大型設備での実施態様を示す図である。
【発明を実施するための形態】
【０００８】
本発明は、図１、図２で示す通り給水管７を通水可能な状態のまま折り曲げ重ね合わせて一つに固めた形で、両端に取水側汎用水栓１、吐水側汎用水栓２を取りつけ、その両水栓の間の集積した給水管７内に水を貯める貯水装置である。取水側汎用水栓１は貯水槽装置の最上部に、吐水側汎用水栓２は貯水槽装置の最下部に設ける。給水管７の集積方法は、図２に示すように給水管７を横に複数回折畳んだものを複数段積重ねて集積する。必要に応じ図３に示すような保管・保護・携帯用ケース６に入れて持ち運び可能にしたり、保管・保護・携帯用ケース６の下部に複数のキャスター８を付けて容易に移動可能にする。又、大規模施設では、図６に示すように大型化して床に据え置く。大型で据え置きタイプにおいては、取水側汎用継手３、吐水側汎用継手４での取り外しての移動が困難なため、汎用止水栓５を閉じて空気取入バルブ９を開き汎用蛇口１０から水を取り出す。
【０００９】
本発明の貯水装置は、図４、図５に示されるように通常の上水道給水管の途中に取水側継手３と吐水側継手４の間に設置し、非常時取水側水栓１、吐水側水栓２を閉じ３，４から取り外す。非常時は取水側水栓１を空気取り入れのため開き、適時吐水側水栓２を開き使用する。
【実施例】
【００１０】
本発明の貯水装置は図４、図５、図６に示されるように上水道管の給水経路途中に設置したり、散水栓とホースの間、その他各機器の給水部分に介在させ非常時に備える。
【産業上の利用可能性】
【００１１】
本発明の貯水装置は家庭だけでなく、医療機関、教育機関、交通機関諸施設、官公庁、集会所、百貨店・ショッピングセンター、宿泊施設、工場の上水使用機械設備、飲食業の厨房設備等に設置することで非常時多くの人を助けることが可能で、いろいろな場面に合った形の本装置を作れば大きな市場性を望めるとともに、社会全体の飲用可能水の備蓄量を飛躍的に増やし、社会の安全に大きく寄与することが出来る。
【符号の説明】
【００１２】
１  取水側汎用水栓
２  吐水側汎用水栓
３  取水側汎用継手
４  吐水側汎用継手
５  汎用止水栓
６  保管・保護・携帯用ケース
７  給水管
８  キャスター
９  空気取入バルブ
１０  汎用蛇口
【図１】
2013147895.tif 000003
【図２】
2013147895.tif 000004
【図３】
2013147895.tif 000005
【図４】
2013147895.tif 000006
【図５】
2013147895.tif 000007
【図６】
2013147895.tif 000008
(57)【要約】      （修正有）【課題】味噌味のおむすび等の味噌味料理を作る際に、手間がかからず使用できる味噌味の液体調味料を提供する。【解決手段】材料＜１＞「お味噌はだし入り味噌」約４５％、材料＜２＞「天然水」約２３％、材料＜３＞「液体調味料」（鰹だし入り）約２０％、材料＜４＞「醸造調味料」約１２％を、まず、磨り臼で味噌に水を少々加え、とろとろに成るまで練り上げてから、残りの天然水、調味料を加えることにより製造される。【選択図】なし【特許請求の範囲】
【請求項１】
婆ちゃんの味、味噌味液状調味料は、お味噌、天然水、液体調味料、醸造調味料を混合し、あじを調えた調味料である。
【発明の詳細な説明】
【技術分野】
【０００１】  本発明は、味噌味のおむすびを提供しようとしたときに味噌味の液体の調味料を使用しないと工程が多く成るので考え付いたのが味噌味の液体調味料を提供する。
【背景技術】
【０００２】  この調味料はおむすび以外の各種の味噌味にと、考慮する料理をするときに使用し、いままでにない触感を味わえる。
また、麺の類のタレ、お餅、生野菜、と数限なく醤油、ソ−ス、ドレシング等の使用するのと同じ感覚で料理にと使用し、家庭に入り込みます。
【発明の概要】
【発明を解決しようとする課題】
【０００３】  そのために次のような問題点があった。
味噌は液体の様に扱い難く料理にも、おむすびにも作るには、色々手間が掛かる。
本発明はこれらの問題点を解決するためになされたものである
【課題を解決するための手段】
【０００５】  味噌をベエスにして天然水、液体調味料、醸造調味料、を混合し味を調えたものに仕上げたものである。
【発明の効果】
【０００６】（イ）他の調味料の様にお好みの調整ができる。
（ロ）あらゆる味噌味料理に使える。
（ハ）焚き込み、焼き物、物に掛けるだけ、付ける、混ぜるもの他、いろいろ使用可能である。
（ニ）料理のレパ−トリ−が増える。
（ホ）手前味噌で料理の自慢が出来る。
【発明を実施するための形態】
【０００７】（イ）材料＜１＞「お味噌は信州のだし入り味噌」鰹と昆布を使用する。  約４５％
（ロ）材料＜２＞「天然水」試作用（富士山麓山梨忍野天然水）使用する。約２３％
（ハ）材料＜３＞「液体調味料」愛媛県鰹だし入りを使用する。          約２０％
（ニ）材料＜４＞「醸造調味料」京都市伏見（醸造調味料）を使用する。  約１２％を
磨り臼で味噌に水を少々加え、お味噌をとろとろに成るまで練り上げてから残りの天然水他、調味料を、磨り臼に入れて、よく練りあがった処で、製品である
【０００８】
【表１】
2013039118.tif 000002
(57)【要約】【課題】糠が食物繊維やビタミン、ミネラルを豊富に含んでいるため、従来の小麦粉だけで作ったものより、健康保持、促進に貢献できる糠を混ぜた中華麺を提供する。【解決手段】麺製造時に原材料の小麦粉に、糠を混ぜて混合したミックス粉を特徴とした糠を混ぜた中華麺。【特許請求の範囲】
【請求項１】
麺製造時に作る原材料の小麦粉に糠を混合したものを特徴とする糠を混ぜた中華麺。
【請求項２】
麺製造時に作る原材料の小麦粉に糠を混ぜたミックス粉。
【発明の詳細な説明】
【技術分野】
【０００１】本発明は、糠が食物繊維やビタミン、ミネラルを豊富に含んでいるため、従来の小麦粉だけで作ったものより、健康保持、促進に貢献できる糠を混ぜた中華麺に関するものである。
【背景技術】
【０００２】従来、中華麺は小麦粉に種々の添加物を用いたものが一般的であり、糠そのものを主原料としたものがなく、カロリーの高さや、栄養バランスがなく、健康志向の人には、抵抗があった。
【発明の概要】
【発明が解決しようとする課題】
【０００３】小麦粉だけで作った中華麺は、栄養バランスがなく、カロリー過剰摂取となってしい、気軽に食するには抵抗がある。
本発明は、上記の問題を解決するものである。
【課題を解決するための手段】
【０００４】第一発明は糠を原料に混ぜることにより、小麦粉だけで作った麺にはない豊富な食物繊維やビタミン、ミネラルが中華麺を食する事で補うことが出来る。
また第二発明は、糠を原料に混ぜることにより、糠に含まれるオリザノールがコレステロールの吸収を抑える作用があるので、健康保持にも繋がる。
以上を特徴とする糠を混ぜた中華麺である。
【発明の効果】
【０００５】第一発明、また第二発明によれば、中華麺の原料の小麦粉に糠を混ぜることで、豊富な食物繊維やビタミン、ミネラルを摂取し、コレステロールの吸収を抑え、気軽に食することができる。
また、便通も良くなり、健康維持、促進に貢献できる。
【発明を実施するための形態】
【０００６】（イ）中華麺の原料となる小麦粉に糠をバランスよく混ぜるために、小麦粉と糠のミックス粉を作る。
（ロ）ミックス方法は、両原料をミキサーに投入し、４５秒の混合回転することでミックス粉状態となる。
（ハ）ミックス粉状態になった原料にかん水を入れ、中華麺に製麺する。
【実施例】
【０００７】中華麺の原料となる小麦粉に糠を混ぜてミキサーで４５秒の混合回転をし、ミックス粉を作る。ミックス粉にかん水を入れ、団子状にし、２５℃の室温で４５分間熟成する。その後製麺機に入れて製麺し、５℃の室温で２４〜３０時間熟成する。
(57)【要約】【課題】一般家庭水資源などに含まれる、塩素、微量の有害菌類等を、電力、装置等を用いずに除去することができるようにする。【解決手段】水資源を、一定量の容器に汲み置き、その容器内部に「レアアース」（希土類）」１７成分元素加工物質を、容器容量に適した一定量挿入致し、数時間後に「レアアース（希土類）」のもつ独自の殺菌エネルギーにより、簡易に、水資源に対し、無菌状態に改質を行うことを可能とする。例え「レアアース（希土類）」を混入製作した、樹脂製器、ガラス器、陶磁器などにおいても、水資源を器内部に注いだ状態でも、同等の効果が得られる。【特許請求の範囲】
【請求項１】
「レアアース（希土塁）１７成分」構成微粉末元素を用いて、樹脂、硝子、硬質セラミック、粘土材に混入いたし、あらゆる形状に精製加工致す、製法技術。
【発明の詳細な説明】
【技術分野】
【００００１】本発明は、人類及び、動物等の飲料水に対し、有害菌等に汚染された水資源改質、抗菌目的に「有害菌除去改質陶磁器製造方式」に関するものである。
【背景技術】
【００００２】従来の技術として、電気分解、磁気方式、、濾紙フィルター方式等の状況のみ
【発明の概要】
【発明が解決しようとする課題】
【００００３】前記の方式では、水資源に含まれている不純物質除去は可能である。しかし上記の方式においては、有害菌に対する殺菌効果は得られず、腐敗の原因となり、長期間保存は困難である。【００００４】そこで、本発明は、水資源の殺菌、除菌、腐敗防止、長期間保存を可能にするため、化学精製物質を用いない、「レアアース（希土類）元素」を用いる水資源有害菌除去改質方式を考案。
「レアアース（希土類）１７成分元素構成は以下の通りである。」成分表別紙添付
（成分名）
１  Ｃｅ
２  Ｌａ
３  Ｎｄ
４  Ｚｒ
５  Ｔｈ
６  Ｙ
７  ＤＹ
８  Ｐｒ
９  Ｓｍ
１０  Ｇｄ
１１  Ｆｅ
１２  Ｍｏ
１３  Ｔｉ
１４  Ｃａ
１５  Ｐｂ
１６  ｕ
１７  Ｎｉ【００００５】  試料成分分析機関「株式会社二ラコ」提供  分析結果書添付【００００６】  「レアアース（希土類）」１７主成分注出を目的に、自然岩石に含まれている不純物を除去、基本元素を注出、更に「７００メッシュ」の微粉末上に精製加工致す。
【製造方式】
【００００７】  「レアアース（希土類）」１７主成分構成微粉末元素を、樹脂、硝子、硬質セラミック、粘土材に混入。混合比率は、「レアアース（希土類）」元素１％に対し、樹脂、硝子、硬質セラミック及び粘土材１０％の比率」と致し、硬化、又は１３００度で焼成致すことにより、無限の形状に精製加工いたすことが可能になる。
【発明の効果】
【００００８】本発明により、成型加工された形状の物体は、水資源に特定量混入いたすことにより、「レアアース（希土類）」より発生いたすエネルギーにより、水資源に含まれる大腸菌、細菌、有害ウイルス菌を吸着し、繁殖を阻害抑制し、酸性やアルカ性の水を中性に移行作用し、水資源の改質を行なう、更に水資源の腐敗防止と、長期間の保存を可能とする
【００００９】「水道法２０条登録検査機関」食品衛生法登録機関において、水資源に含まれる、各種有害菌減少率効果の検査を実施。
水質検査機関  財団法人「北里環境科学センター」において「水質検査結果書」を取得                                                  「同検査結果報告書別紙添付」
【産業上の利用可能性】
【００００１０】従来の水資源改質方式において、電力、装置等を使う方式とは異なり、簡易にコスト削減により、飲料水、工業用水、あらゆる分野において、水資源の汚染、腐敗、雑菌防御と長期保存が可能となり環境破壊の減少にも貢献できる。
(57)【要約】      （修正有）【課題】ウィービングカラーリング施術時、毛髪をスジ状に取り分ける作業を容易に行えるコームの提供。【解決手段】歯の先端部分にカギを施し、Ａ及びＢ部分の歯は、長さが交互に異なる構造とした。【選択図】図１
2013039332.tif 000002
【特許請求の範囲】
【請求項１】
（図１）コームの全ての歯の先端部分が、毛束をすくうための形（カギ）（図３）に施されているウィービングコーム。
【請求項２】
（図１）前記歯の長さが均等な長短である請求項１記載のウィービングコーム。
【請求項３】
（図１）前記歯の先端の形（カギ）（図３）が、柄部の逆を向いている請求項１記載のウィービングコーム。
【請求項４】
（図１）前記歯の先端の形（カギ）（図３）の、均一に大きさが異なっている請求項１，２または３記載のウィービングコーム。
【請求項５】
（図１）Ｄ、指で掴む所が異系（図２）な、請求項１，２，３または４記載のウィービングコーム。
【発明の詳細な説明】
【技術分野】
【０００１】この発明は、ウィービングカラーリング（毛髪をスジ状に染める技法）施術時に、使用するウィービングコームに関する。
【背景技術】
【０００２】従来、ウィービングカラーリング施術時に、毛髪をスジ状に取り分ける作業をするのですが今現在では、普通のコームのテールの部分を使い、毛髪をすくい取ります。
しかし、この技術は容易ではなく、高度な技術能力と鍛錬が必要です。
【先行技術文献】
【特許文献】
【０００３】
【特許文献１】特開平０８−２４２９３０
【発明の概要】
【発明が解決しようとする課題】
【０００４】しかしながら、上記の技術によれば、時間がかかる、毛髪を均等にすくい取りわけれない、正確ではない。
そこで、この発明は、時間がかからない（一瞬）、均等にすくい取りわけられる、だれでも、正確に使用出来ることを課題とする。
【課題を解決する為の手段】
【０００５】以上の課題を解決する為に、第一発明は、（図１）Ｅ、コームの全ての歯の先端部分が、毛束を的確にすくい、逃がさず、一瞬でとりわけるための、形（カギ）（図３）に施している。
第二発明は、（図１）Ａ、Ｂの歯の長さを長短つけることにより、自在に２５％〜５０％の範囲で、均等な幅の毛束がすくい取れる。（図５）
第三発明は、（図１）Ａ、Ｂ、Ｅ、取り分けやすいように、歯の先端の形（カギ）が、柄部の逆を向いている。
第四発明は、（図１）Ａ、Ｂ、歯の先端の形（カギ）の、大きさが異なっている。
【発明の効果】
【０００６】第一発明により、ウィービングカラーリング施術時に、毛束をすくい取分ける行程が一瞬で行うことが出来る。
第二発明により、ウィービングカラーリング施術時に、毛束を均等な幅の毛束を取り分けることができ、すくい取る毛束の量を、２５％〜５０％まで変えることが出来る。
第三発明により、すくい取り分けた毛束を、容易に手で、受け取ることが出来る。
第四発明により、すくい取る毛束の幅を、３ミリメートル〜１センチメートルまで、変えることが出来る。
【図面の簡単な説明】
【０００７】
【図１】ウィービングコーム本体
【図２】Ｄの拡大図
【図３】Ｅの拡大図
【図４】従来のウィービングカラー時の、毛束の取り分け
【図５】開発したウィービングコームを使用した、ウィービングカラー時の、毛束の取り分け
【発明を実施するための形態】
【０００８】図１の素材はエコ素材で再利用出来る。（図１）Ａ、Ｂの全部の歯の先端部分にカギ（図３）を施している。
（図１）Ａ、Ｂの部分の歯は、交互に長さが異なる。長い歯、短い歯、それぞれ長さは均等である。
（図１）Ａ、Ｂの部分の歯の先端部分のカギは、すべてコームの柄とは逆方向を向いている。
（図１）Ａ、Ｂの歯の先端部分のカギは、Ａ、Ｂそれぞれ、大きさが異なる。
（図１）Ｄの部分の形が、異形（図２）である。
（図１）Ｃの先端部分は、先を尖らせている。
【０００９】「実施形態の効果」
（図５）この実施形態によれば、時間はかからない（一瞬）、均等にすくい取りわけれる、だれでも、正確に使用出来る。
「他の実施形態」
（図１）Ｄの形（図２）により、しっかり指でウィービングコーム（図１）持つことが出来、安定することが出来る（図１）Ｃの形により、毛髪を的確に取り分けることが出来る。
【符号の説明】
【００１０】１  ウィービングコーム本体、Ａ  コームの歯が多い方、Ｂ  コームの歯が少ない方
Ｃ  柄、Ｄ  指で掴む所、Ｅ  カギ
【図１】
2013039332.tif 000003
【図２】
2013039332.tif 000004
【図３】
2013039332.tif 000005
【図４】
2013039332.tif 000006
【図５】
2013039332.tif 000007
(57)【要約】      （修正有）【課題】遺影写真と納骨箱を一体化する事で参拝の時故人の特定が出来、また自宅で供養する時、遺影写真を自由に取替え出来るようにした事で故人やペットを思い偲ぶことが容易に出来る納骨箱である。【解決手段】透明プラスチック板１とプラスチック板の間に自分で好きなデザインをしたシート状の紙・布・写真２などを挟んで側板を作る。底板５の角４ヶ所に溝付き支柱４を入れる穴を作る。溝付き支柱４を底板５の穴に側板１，２を溝付き支柱４に差し込む。上部枠板を正面に写真取り出し穴８を設ける。上部枠板を溝付き支柱４にかぶせて固定し箱にする。その時正面の側板１，２はプラスチック板のみ固定する。上部枠板の遺影写真取り出し穴８に合わせて、上ブタ７の正面に遺影写真取り出し穴８をあけ上からかぶせてフタにする。【選択図】図１
2013039333.tif 000002
【特許請求の範囲】
【請求項１】
透明プラスチック板（１）とプラスチック板（３）の間に自分の好きなデザインした紙・布・写真（２）などを挟んで側板にし、それを組み立てて箱にした。上部枠板（６）上ブタ（７）に遺影写真（２）を自由に取替え出来るよう遺影写真取り出し穴（９）を設けた。
使用後、焼却処分出来てゴミにならない木・プラスチックにした。
以上のような組み立て式の遺影写真取替え自由納骨箱である。
【発明の詳細な説明】
【技術分野】
【０００１】  本発明は、遺影写真と納骨箱が別々だった物を一体にしその遺影写真を自由に取替え出来る様にした納骨箱に関するものである。
従来遺影写真は自宅、お骨はお寺と別々に置くというのが一般的である。少子高齢化が進み後継者の居ない人やお墓を持たない人など、共同の納骨堂に納骨した時には故人の特定が難しかった。遺影写真も葬儀のときに使用するだけで無駄になっていた。
この発明は遺影写真と納骨箱を一体化する事で参拝の時故人の特定が出来、また自宅で供養する時、遺影写真を自由に取替え出来るようにした事で故人やペットを思い偲ぶことが容易に出来る納骨箱である。
【背景技術】
【０００２】  従来、陶器製骨つぼの表面に絵柄をプリントする物があった。
【先行技術文献】
【０００３】
【発明の概要】
【発明が解決しようとする課題】
【０００４】  そのため、次のような問題があった。
現在葬儀のときお骨を骨壷に入れそれを納骨箱に入れて、その上からカバーをかけ遺影写真はその前に置いています。少子高齢化が進み後継者の居ない人やお墓を持たない人のお骨は共同の納骨堂に入るため参拝の時故人の特定が難しかった。また遺影写真は引き取る人が居ないため、ゴミとして捨てられ無駄になっていた。
当地方では代々続くとお墓に骨壷が入らなくなるため、お骨は袋に入れて納骨する様になっており、そのため陶器の骨壷は無駄になり、また廃棄処分が大変でゴミになるため使用禁止となっている。
【課題を解決するための手段】
【０００５】（イ）透明プラスチック板（１）とプラスチック板（３）の間に自分で好きなデザインしたシート状の紙・布・写真（２）などを挟んで側板を作る。
（ロ）底板（５）の角４ヶ所に溝付き支柱（４）を入れる穴（９）を作る。
（ハ）溝付き支柱（４）を底板（５）の穴（９）に差し込んで固定する。
（ニ）側板（１）（２）（３）を溝付き支柱（４）に差し込む。
（ホ）上部枠板（６）の正面に写真取り出し穴（８）を設ける。
（ヘ）上部枠板（６）を溝付き支柱（４）にかぶせて固定し箱にする。その時正面の側板（１）（２）（３）はプラスチック板（３）のみ固定する。
（ト）上部枠板（６）の遺影写真取り出し穴（８）に合わせて、上ブタ（７）の正面に遺影写真取り出し穴（８）をあけ上からかぶせてフタにする
正面の透明プラスチック板（１）と遺影写真（２）は指で上に押し上げ写真取り出し穴（８）より取り替え出来る。使用後ゴミにならない様、焼却処分出来る、木・プラスチックにした。
本発明は以上のように構成された遺影写真取り替え自由納骨箱である。
【発明の効果】
【０００６】  本発明は、納骨箱に遺影写真を取り付けることで故人の特定に便利である。また遺影写真を自由に取り替え出来ることで、故人やペットを思い偲ぶことが容易に出来心が癒される。
使用後、木・プラスチックで出来ているため焼却処分が出来ゴミになりません。
【図面の簡単な説明】
【０００７】
【図１】  本発明の遺影写真取替自由納骨箱の斜視図である
【図２】  本発明の遺影写真取替自由納骨箱の分解斜視図である
【０００８】以下本発明の実施の形態について説明する。
（イ）透明プラスチック板（１）とプラスチック板（３）の間に自分の好きなデザインしたシート状の紙・布・写真（２）などを挟んで側板を作る。
（ロ）底板（５）の角４ヶ所に溝付き支柱（４）を差し込む穴（９）をあける。
（ハ）溝付き支柱（４）を底板（５）の穴（９）に差し込んで固定する。
（ニ）側板（１）（２）（３）を溝付き支柱（４）に差し込む。
（ホ）上部枠板（６）の正面に写真取り出し穴（８）を設ける。
（ヘ）上部枠板（６）を溝付き支柱（４）にかぶせて固定し箱にする。その時正面の側板（１）（２）（３）はプラスチック板（３）のみ固定する。
（ト）上部枠板（６）の遺影写真取り出し穴（８）に合わせて、上ブタ（７）の正面に遺影写真取り出し穴（８）をあけ上からかぶせてフタにする
正面の透明プラスチック板（１）と遺影写真（２）は指で上に押し上げ写真取り出し穴（８）より取り替え出来る。
本発明は以上のように構成された遺影写真取替自由納骨箱である。
お寺の納骨堂内の故人の識別やペットなどの手元供養にも便利である。
使用後、焼却処分が出来るためゴミにならない。
【符号の説明】
【０００９】１  透明プラスチック板
２  デザインシート（紙・布・写真など）
３  プラスチック板
４  溝付き支柱
５  底板
６  上部枠板
７  上ブタ
８  写真取り出し穴
９  穴
【図１】
2013039333.tif 000003
【図２】
2013039333.tif 000004
(57)【要約】      （修正有）【課題】手軽で確実にウイルスを殺菌するマスクを提供する。【解決手段】太陽光線や電燈光線が照射している明るいところで紫マスク１を着用し、その紫マスクを介した紫外線３の波長は３５０ｎａｎｏｍ周辺になるのでウイルスは生存することができず死滅する。二次側マスク４は一次側から透過する有害な波長が届かないようにやや厚めの布、あるいは紫が中和する色彩の布を用いても何ら差し支えはない。紫外線３の波長は短いので二次側に使用するマスクは、マスク表面は少し紫外線が浸透するが二次側マスク全体を貫通して透過することなどはない。このような構造になっているので二次側マスクは紫外線やウイルスが存在していないので、クリーンで健康的な空気を常時供給出るので安心して使用することができる安全マスクである。【選択図】図１
2013039335.tif 000002
【特許請求の範囲】
【発明の詳細な説明】
【技術分野】
【０００１】本発明は近年呼吸によるウイルス菌の感染で季節を問わずインフレインザ等が多発している。このウイルス菌の人体侵入を防ぐには紫色の外側に付属している紫外線でウイルスを殺菌するしかないと言われている。そこで紫色で作成した紫色のマスクを介して太陽光線や照明光線を活用した紫外線照射でウイルス菌を殺菌するマスクを一次側とする。二次側は、一次側より照射される有害な紫外線波長が届かない構造を二次側とした二重構造紫安全マスク。
【背景技術】
【０００２】特許文献１は紫の可視光線と不可視光線の近紫外線を透過する安全マスクが出願されている。
【先行技術文献】
【０００３】
【特許文献１】
【発明の概要】
【発明が解決しようとする課題】
【０００４】上記、呼吸によるインフレインザ等の感染予防には上記の引用例がある。その特許文献１は本出願人が平成２０年３月７日に出願した特願２００８−１０１９１８である。審査請求したのであるが、その回答は引例に透明のマスクが提示されており、透明のマスクであれば、いずれも紫の可視光線と不可視光線を透過しているので殺菌作用を有しているので何ら変わりはないと主張した。本出願人は意見書を提出して意見を述べたのであるが特願２００８−１０１９１８への回答は変わりはなく拒絶査定されたものである。そこで本出願人は、さらに研究を重ねた、上記引例は微弱な細菌を殺菌するものとは解釈したのであるから、今度は微弱な細菌等などは相手にしないで、強力なウイルス菌（新型インフレインザ等）を殺菌するマスクの開発に試行錯誤した。
【発明が解決するための手段】
【０００５】本発明は上記目的を達成するために、紫色で作成した紫色のマスクを介して太陽光線や照明光線を活用した紫外線の波長を３５０ｎａｎｏｍ周辺を照射することでウイルス菌を殺菌すや紫のマスクを一次側とし、その透過する紫外線の波長が届かないようにしたマスクを二次側とした二重構造紫安全マスクを開発した。詳しく一次側マスクの色彩は普通の紫色にしても良いがなるべく薄い透明度の高い紫がウイルスを殺菌する能力が高い。ウイルス菌を殺菌するには紫外線の波長は３９０ｎａｎｏｍ以下が必要不可欠である。そこで本出願人は紫外線の波長を３５０ｎａｎｏ周辺にしてウイルスを殺菌するマスクを開発した。一次側マスクを紫外線波長透過記録をしたデータを本願に提示する。二次側は一次側から透過する有害な紫外線の波長が届かないようにやや厚めの布、（ガーゼ等）あるいは紫が中和する色彩に布を用いても良い。紫外線の波長は短いので図１で示すように一次側マスクを透過して二次側マスク表面を少し透過するが、紫外線の波長は短いので二次側のマスクを貫通して透過すること等はない。紫外線の３５０ｎａｎｏｍ周辺の波長が一次側マスクと二次側マスク表面に滞留するのでウイルス菌の殺菌力はより向上し、二次側マスクは有害な紫外線やウイルス菌の存在しないクリーンで健康的な空気を常時供給することができる紫の安全マスクが本願である。
【０００６】上記解決手段によりウイルス菌の侵入を阻止することができ健康増進の検知からもこの世に貢献できる発明が本願である。
【発明の効果】
【０００７】前述のように本発明は太陽光線や照明光線が照射しているところで一次側マスクの紫マスクを介して紫外線波長を３５０ｎａｎｏｍ周辺を照射することによりウイルス菌は生存することができないので死滅する。二次側マスクは有害な紫外線の波長が届かない構造になっているので、クリ−ンで健康的な空気を常時供給することが安全マスクである。以上のような特徴とした発明が本願である。
【図面の簡単な説明】
【０００８】
【図１】は本発明の側面図
【符号の説明】  （１）一次側紫透明マスク、（２）自然界紫外線、（３）紫マスクを介した紫外線、（４）二次側マスク、（５）ゴム紐
【一次側マスク紫外線波長透過記録】
紫透明マスク、紫外線波長が３５０ｎａｎｏｍ周辺は透過していることを示す。
【図１】
2013039335.tif 000003
【手続補正書】
【提出日】平成23年9月29日(2011.9.29)
【手続補正２】
【補正対象書類名】特許請求の範囲
【補正対象項目名】全文
【補正方法】変更
【補正の内容】
【特許請求の範囲】
【請求項１】
太陽光線や電燈光線が照射している明るいところで、本願の紫マスクを着用し、その１次側を紫マスクで介して紫の外側に付属している紫外線の波長が３５０ｎａｎｏｍ周辺を透過するのでウイルスは生存することができず死滅する。２次側マスクは一次側の有害な紫外線の波長が直接、皮膚に触れることを防ぐため、紫外線の波長が届かないガーゼや布、あるいは紫が中和する色彩の布を用いれば人体には影響がなく、ウイルスは死滅する。